(57)【要約】【課題】回路基板が小型化されても、信号ケーブルから引き出された信号線を回路基板の接続端子に半田付け等により接続する際に、隣の接続端子とリークしないように容易に接続作業を行うことができ、しかも信号線の急な曲がりが少なくて断線防止の点でも優れている電子内視鏡の先端部を提供すること。【解決手段】挿入部１の先端に固体撮像素子７と回路基板１０とが内蔵されて、挿入部１内に軸線と平行方向に挿通配置された信号ケーブル１５の先端から引き出された複数の信号線１６が、回路基板１０に設けられた複数の接続端子１７に接続された電子内視鏡の先端部において、回路基板１０に、略正方形状の信号線接続部１０ａを挿入部１の先端部分の軸線方向に対して垂直をなす向きに設け、複数の接続端子１７を信号線接続部１０ａの四つの各辺部分に均等に配置した。【選択図】      図１
2005296150.tif 000002
【特許請求の範囲】
【請求項１】
挿入部の先端に固体撮像素子と回路基板とが内蔵されて、上記挿入部内に軸線と平行方向に挿通配置された信号ケーブルの先端から引き出された複数の信号線が、上記回路基板に設けられた複数の接続端子に接続された電子内視鏡の先端部において、
上記回路基板に、略正方形状の信号線接続部を上記挿入部の先端部分の軸線方向に対して垂直をなす向きに設け、上記複数の接続端子を上記信号線接続部の四つの各辺部分に均等に配置したことを特徴とする電子内視鏡の先端部。
【請求項２】
上記信号線接続部が、上記信号ケーブル側に向かって上記回路基板から立体的に突出する凸状に形成されていて、その突出部の側面に上記接続端子が配置されている請求項１記載の電子内視鏡の先端部。
【発明の詳細な説明】
【技術分野】
【０００１】
この発明は電子内視鏡の先端部に関する。
【背景技術】
【０００２】
挿入部の先端に固体撮像素子を内蔵する電子内視鏡においては、固体撮像素子の駆動回路等を構成する電子部品が取り付けられた回路基板が固体撮像素子の後側に隣接して配置され、挿入部内に挿通配置された信号ケーブルの先端から引き出された複数の信号線が、回路基板に設けられた複数の接続端子に接続されている（例えば、特許文献１、２）。
【特許文献１】特開２０００−１９９８６３
【特許文献２】特開平９−６４２７３
【発明の開示】
【発明が解決しようとする課題】
【０００３】
上述のような従来の電子内視鏡においては、平板状に形成された回路基板の表面と裏面の二つの面の各々に多数の接続端子が横一列に並んで形成されて、信号ケーブルの先端から引き出された複数の信号線が各接続端子に半田付け等により個別に接続固着されている。
【０００４】
しかし、技術の進歩等により固体撮像素子が小型化されるのに伴って回路基板が小型化されると、隣り合う接続端子間の間隔が接近してしまうため、接続端子への信号線の半田付け作業において隣の接続端子とのリークを避けるのが作業上非常に難しくなってきた。
【０００５】
また、挿入部先端の短縮化を図るために、例えば図４に示されるように回路基板９１を電子内視鏡の挿入部先端の軸線方向に対して垂直の向きに配置した場合には、信号線９２が回路基板９１の上下二箇所に並んで配置されていると、信号ケーブル９３から急な角度で引き出される信号線９２が多くなって信号線９２の断線の原因になる場合がある。
【０００６】
そこで本発明は、回路基板が小型化されても、信号ケーブルから引き出された信号線を回路基板の接続端子に半田付け等により接続する際に、隣の接続端子とリークしないように容易に接続作業を行うことができ、しかも信号線の急な曲がりが少なくて断線防止の点でも優れている電子内視鏡の先端部を提供することを目的とする。
【課題を解決するための手段】
【０００７】
上記の目的を達成するため、本発明の電子内視鏡の先端部は、挿入部の先端に固体撮像素子と回路基板とが内蔵されて、挿入部内に軸線と平行方向に挿通配置された信号ケーブルの先端から引き出された複数の信号線が、回路基板に設けられた複数の接続端子に接続された電子内視鏡の先端部において、回路基板に、略正方形状の信号線接続部を挿入部の先端部分の軸線方向に対して垂直をなす向きに設け、複数の接続端子を信号線接続部の四つの各辺部分に均等に配置したものである。
【０００８】
なお、信号線接続部が、信号ケーブル側に向かって回路基板から立体的に突出する凸状に形成されていて、その突出部の側面に接続端子が配置されていてもよい。
【発明の効果】
【０００９】
本発明によれば、接続端子が信号線接続部の四つの各辺部分に均等に分散配置されて隣り合う接続端子の間の間隔が確保されるので、回路基板が小型化されても、信号ケーブルから引き出された信号線を回路基板の接続端子に半田付け等により接続する際に、隣の接続端子とリークしないように容易に接続作業を行うことができ、信号線の急な曲がりが少なくて断線防止にも寄与する。
【発明を実施するための最良の形態】
【００１０】
挿入部の先端に固体撮像素子と回路基板とが内蔵されて、挿入部内に軸線と平行方向に挿通配置された信号ケーブルの先端から引き出された複数の信号線が、回路基板に設けられた複数の接続端子に接続された電子内視鏡の先端部において、回路基板に、略正方形状の信号線接続部を挿入部の先端部分の軸線方向に対して垂直をなす向きに設け、複数の接続端子を信号線接続部の四つの各辺部分に均等に配置した。
【実施例】
【００１１】
図面を参照して本発明の実施例を説明する。
図２は電子内視鏡の挿入部の先端部分を示しており、細長い可撓管状に形成された挿入部１の最先端部分に先端部本体２が連結され、その先端部本体２の最先端面に観察窓３と照明窓４等が配置されている。５は、照明窓４の後方に配置されているライトガイドファイババンドルである。
【００１２】
観察窓３の奥の先端部本体２内には、対物光学系６が配置されていて、その対物光学系６による被写体の投影位置に、例えばＣＣＤ（電荷結合素子）等からなる固体撮像素子７の受光面７ａが配置されている。
【００１３】
この実施例においては、対物光学系６の光軸と先端部本体２の軸線とが平行になるようにレイアウトされていて、固体撮像素子７の受光面７ａは対物光学系６の光軸に対して垂直の向きに配置されている。
【００１４】
そのような対物光学系６と固体撮像素子７を保持する撮像部保持枠８は、先端部本体２に軸線と平行方向に形成された貫通孔内に嵌挿固定されていて、撮像部保持枠８内には、固体撮像素子７の駆動回路等を構成する電子部品が取り付けられた回路基板１０が、固体撮像素子７の後側に隣接して収容されている。１１は、固体撮像素子７から後方に延出して回路基板１０側に接続されたリード。１２は、リード１１の中間部分の外面に沿って配置された絶縁板である。
【００１５】
１５は、固体撮像素子７で撮像された内視鏡観察画像の撮像信号等を伝送するために挿入部１内に軸線と平行方向に全長にわたって挿通配置された信号ケーブルであり、その先端から前方に延出する複数の信号線１６が、回路基板１０の接続端子１７に半田付け等によって接続されている。
【００１６】
回路基板１０は、例えば積層セラミック等によって立体的な形状に形成されていて、その後端部分に、斜め後方から見た状態の斜視図である図１にも示されるように、信号線接続部１０ａが信号ケーブル１５側に向かって回路基板１０から立体的に突出する凸状に形成されている。
【００１７】
そのような回路基板１０の信号線接続部１０ａは、図２におけるIII−III断面図を図示する図３にも示されるように、先端部本体２の軸線方向に対して垂直をなす向きに略正方形をなす断面形状に形成されていて、その四つの各辺の側面部分に複数の接続端子１７が均等に配置されている。
【００１８】
そして、各信号線１６中の導線１６′が各々接続端子１７に半田付け等によって接続固定されており、略正方形に形成された信号線接続部１０ａの四つの各辺部分に均一に分散して接続端子１７が配置されているので、回路基板１０が小型化されても、隣り合う接続端子１７の間の隙間を十分に確保して、隣の接続端子１７とリークしないように容易に接続作業を行うことができる。
【００１９】
また、信号ケーブル１５から接続端子１７に向かって引き出される信号線１６を急に曲げる必要がないので、信号線１６の断線の発生も抑制される。
【図面の簡単な説明】
【００２０】
【図１】本発明の実施例の電子内視鏡の先端部の信号線接続部の斜視図である。
【図２】本発明の実施例の電子内視鏡の先端部の側面断面図である。
【図３】本発明の実施例の電子内視鏡の先端部の図２におけるIII−III断面図である。
【図４】従来の電子内視鏡の先端部の信号線接続部の側面図である。
【符号の説明】
【００２１】
１  挿入部
２  先端部本体
７  固体撮像素子
１０  回路基板
１０ａ  信号線接続部
１５  信号ケーブル
１６  信号線
１６′  導線
１７  接続端子
【図１】
2005296150.tif 000003
【図２】
2005296150.tif 000004
【図３】
2005296150.tif 000005
【図４】
2005296150.tif 000006